(57)【要約】【課題】薄手のウェブを高速で連続巻取りする場合にも巻き品質の低下のない提供する。【解決手段】複数の巻取り軸を備え、タレット動作によって走行するウェブの巻取りを旧巻取り軸から新巻取り軸に切換えを行い、走行するウェブの巻取り動作を継続させるタレット型のウェブ巻取り装置において、前記ウェブの走行速度に同期した周速で回転するプリドライブロールと、前記巻取り軸に巻装中のウェブに当接するタッチロールと、前記タッチロールが待機位置にある時は、前記プリドライブロールと当接しながら回転し、巻換え時には動作位置に移動して新巻取り軸に当接する位置移動手段とを具備することを特徴とする。【選択図】図２
2007210735.tif 000002
【特許請求の範囲】
【請求項１】
複数の巻取り軸を備え、タレット動作によって走行するウェブの巻取りを旧巻取り軸から新巻取り軸に切換えを行い、走行するウェブの巻取り動作を継続させるタレット型のウェブ巻取り装置において、
前記ウェブの走行速度に同期した周速で回転するプリドライブロールと、
前記巻取り軸に巻装中のウェブに当接するタッチロールと、
前記タッチロールが待機位置にある時は、前記プリドライブロールと当接しながら回転し、巻換え時には動作位置に移動して新巻取り軸に当接する位置移動手段とを具備することを特徴とするウェブ巻取り装置。
【請求項２】
複数の巻取り軸を備え、タレット動作によって走行するウェブの巻取りを旧巻取り軸から新巻取り軸に切換えを行い、走行するウェブの巻取り動作を継続させるウェブ巻取り方法において、
前記ウェブの走行速度に同期した周速で回転するプリドライブロールと、
前記巻取り軸に巻装中のウェブに当接するタッチロールとを備え、前記タッチロールが、待機位置にある時はプリドライブロールと当接しながら回転し、巻換え時には動作位置に移動して新巻取り軸に当接するように移動して、走行するウェブの巻取り動作を継続させること特徴とするウェブ巻取り方法。
【発明の詳細な説明】
【技術分野】
【０００１】
幅広、薄手ウェブの巻取り装置およびその巻取り方法に関し、特に連続巻取り装置およびその巻取り方法に関する。
【背景技術】
【０００２】
一般に、数μｍ〜数百μｍ程度の厚さのウェブを高速で巻き取る巻取り装置としては、定尺巻換えのために２つの巻取り軸がタレット軸を中心に旋回される２軸タレット式が多く使用されている。そして、この種の巻取り装置ではフィルムの巻取り動作中、定尺満巻になると１８０゜旋回（タレット）して巻取り位置と満巻取出し位置との切替えが行われる。
【０００３】
例えば、２軸タレット式巻取り装置では２つの巻取り軸がタレット軸を中心に旋回可能に支持されている。そして、ウェブの巻取り動作時には一方の巻取り軸でウェブの巻取り動作が行なわれるとともに、他方の巻取り軸は待機位置（取出し位置）で保持されるようになっている。さらに、ウェブ巻取り中の巻取り軸が満巻状態になると２つの巻取り軸がタレット軸を中心に旋回されて満巻状態の巻取り軸（旧巻取り軸）が待機位置（取出し位置）、待機位置の空の巻取り軸（新巻取り軸）が巻取り位置にそれぞれ移動されるタレット動作が行なわれる。
【０００４】
また、この２つの巻取り軸のタレット動作中、ウェブのパスライン（供給経路）に沿って繰り出されているフィルムは満巻状態の旧巻取り軸が待機位置へ移動するまで現在巻付け中の旧巻取り軸にそのまま巻付けられるようになっている。そして、２つの巻取り軸のタレット動作が終了し、空の新巻取り軸がフィルム巻取り位置に移動された時点で、満巻状態の旧巻取り軸と空の新巻取り軸との間に架け渡されているウェブがカッターによって切断されるようになっている。さらに、そのウェブの切断端部は空の新巻取り軸に巻付けられて新巻取り軸によるウェブの巻取り動作が開始されるようになっている。これにより、この２軸タレット式巻取り装置の２つの巻取り軸による定尺巻換え動作が行われ、ウェブの巻取り動作が２つの巻取り軸のタレット動作によって中断されることなく、連続的に継続されるようになっている。
【０００５】
また、薄手のウェブを高速で巻取る巻取り装置では巻取り軸に巻取られるウェブの巻取りロールの外周面にタッチロールを当接させた状態でウェブを巻取ることにより、巻取りロールへのエアーの巻込みによる巻取りロールの緩み、およびこれに起因するさまざまな巻き品質不良を防ぐことが一般に行なわれている。
【０００６】
しかし、一方ではタッチロールを当接させることによる問題点もある、例えば、タッチロールの回転軸と巻取り軸とを完全に平行に配設するのが困難であるため巻き品質が低下する場合や、巻取り軸の切換えの際にタッチロールを当接させる瞬間にウェブの走行速度が低下し巻き品質が低下する場合がある。これらの問題の対策として、特許文献１ないし３の技術が開示されている。
【０００７】
【特許文献１】実公平２−１１３９９号公報
【特許文献２】特開２００１−８０７９９号公報
【特許文献３】特開２００５−８２３１７号公報
【発明の開示】
【発明が解決しようとする課題】
【０００８】
しかし、前述の従来技術では、連続巻取りに十分対応できなかったり（特許文献１）、機構が複雑になり装置の製造コストが高くなったり（特許文献２）、特に薄手のウェブを高速で連続巻取りする場合には効果が不十分（特許文献３）であった。
【０００９】
本発明は、このような従来技術の問題点を対策し、薄手のウェブを高速で連続巻取りする場合にも巻き品質の低下のないウェブ巻取り装置を提供するものである。
【課題を解決するための手段】
【００１０】
本発明者らは、高速で走行する薄手のウェブの連続巻取り装置およびその巻取り方法について鋭意検討した結果、ウェブ巻取り装置およびその巻取り方法を下記の構成とすることにより上記目的を達成し、本発明をなすに至った。
【００１１】
すなわち、複数の巻取り軸を備え、タレット動作によって走行するウェブの巻取りを旧巻取り軸から新巻取り軸に切換えを行い、走行するウェブの巻取り動作を継続させるタレット型のウェブ巻取り装置において、前記ウェブの走行速度に同期した周速で回転するプリドライブロールと、前記巻取り軸に巻装中のウェブに当接するタッチロールと、前記タッチロールが待機位置にある時は、前記プリドライブロールと当接しながら回転し、巻換え時には動作位置に移動して新巻取り軸に当接する位置移動手段とを具備することを特徴とする。
【００１２】
複数の巻取り軸を備え、タレット動作によって走行するウェブの巻取りを旧巻取り軸から新巻取り軸に切換えを行い、走行するウェブの巻取り動作を継続させるウェブ巻取り方法において、前記ウェブの走行速度に同期した周速で回転するプリドライブロールと、前記巻取り軸に巻装中のウェブに当接するタッチロールとを備え、前記タッチロールが、待機位置にある時はプリドライブロールと当接しながら回転し、巻換え時には動作位置に移動して新巻取り軸に当接するように移動して、走行するウェブの巻取り動作を継続させること特徴とする。
【発明の効果】
【００１３】
前述したように、ウェブの走行速度に同期した周速で回転するプリドライブロールと、巻取り軸に巻装中のウェブに当接するタッチロールとを備えており、タッチロールは、待機位置にある時はプリドライブロールと当接しているので、ウェブの走行速度に同期した周速で回転し、巻換え時には回転を維持したまま、移動して新巻取り軸に当接するので、新巻取り軸の当接する瞬間にウェブの走行速度を低下させることなく走行するウェブの巻取り動作を継続させることができ、連続巻取りにおいて、巻き品質の低下が起こらない。
【発明を実施するための最良の形態】
【００１４】
以下、図面に基づいて本発明を詳細に説明する。本発明の一例のウェブ巻取り装置の概略側面図を図１に示す。本発明のウェブ巻取り装置は、タレット軸４の周りに、巻取り駆動される旧巻取り軸１および新巻取り軸２、ウェブ９の走行速度に同期した周速で回転駆動されるプリドライブロール６、アームの一端に配設されプリドライブロール６と巻取り軸1、2との間で旋回移動可能に配設され、巻取りロール３に当接し所定の力で巻取り面を押圧するタッチロール７、ウェブ９の走行を案内するガイドロール５、がタレット１０に配設され、タレット軸を中心に旋回可能になっている。また、ウェブ９の走行経路の近傍に、ウェブ９を新巻取り軸２と旧巻取り軸１との間で切断できるように、移動可能にカッター刃８が配設されている。
【００１５】
本例のウェブ巻取り装置の動作を説明する。図１は所定長のウェブ９を巻取り、巻取り位置にある旧巻取り軸１が満巻状態になっている様子を示す。この時、空の新巻取り軸２は、待機位置（取出し位置）にあり、旧巻取り軸１側のタッチロール７ａは巻取りロール３の巻面を押圧しながら回転し、新巻取り軸２側のタッチロール７ｂは新巻取り軸２側のプリドライブロール６ｂに当接しウェブ９の走行速度に同期した周速で回転している。旧巻取り軸１があらかじめ設定された長さのウェブ９を巻き取ると、タレット１０がタレット軸４を中心に右方向（図面の時計回り方向）に旋回を始め、１８０°旋回して旧巻取り軸１が待機位置（取出し位置）に、新巻取り軸２が巻取り位置に配設されて、旋回が停止する（図２の状態）。図２の状態から所定のタイミングでカッター刃８が、走行するウェブの方向に移動し、ウェブ９を切断する（図３の状態）。切断されたウェブ９の前半部分は旧巻取り軸１に巻き取られ、後半部分は新巻取り軸２に巻き取られる。ウェブ９が新巻取り軸に巻きついたタイミングに合わせて、新巻取り軸２側のタッチロール７ｂはウェブ９の走行速度に同期した周速で回転したまま旋回移動し新巻取り軸２に巻き取られたウェブの巻面を所定の力で押圧しながら回転する（図４の状態）。新巻取り軸２は、所定長のウェブ９を巻取るまで、巻取り位置にて巻取りを続けられる。所定長のウェブ９を巻取った旧巻取り軸１は待機位置（取出し位置）に送られ、回転を停止した後取出され、別の空の巻取り軸に交換される。かくして、巻取り軸への所定長のウェブの巻取りが連続して行われる。
【００１６】
以上説明したように、本発明の巻取り装置によれば、タッチロール７ｂがウェブ９の走行速度に同期した周速で回転したまま新巻取り軸２に当接し押圧するので、当接の瞬間にウェブの走行速度を低下させることがなく、巻き品質が低下しない。従来の巻取り装置では、プリドライブロールが設けられていないので静止したタッチロールを新巻取り軸に当接させざるを得ず、当接の瞬間のウェブの走行速度の低下により巻きシワや巻きズレが発生しやすく、巻き品質を低下させていた。また、先述の、特許文献３ではタッチロールを走行するウェブを案内するガイドロールに当接させて回転させておいて、新巻取り軸に当接させる方法を開示しているが、本発明者らの検討によれは該方法では走行するウェブとガイドロール間の空気の噛み込みによるすべり、ガイドロールの質量による慣性の影響でガイドロールの周速は走行するウェブの速度より遅くなり、さらに、ガイドロールにタッチロールを当接させることによりタッチロールの質量による慣性の影響も上乗せされるのでタッチロールの回転する周速は、テープの速度と同一にすることは困難で、該方法では、タッチロール回転の効果が不十分で、特に薄手の例えば厚さが１５μｍ以下のウェブを高速で連続して巻き取るときには、本発明に比較して効果が小さいことが判明している。
【図面の簡単な説明】
【００１７】
【図１】本発明の一例のウェブ巻取り装置の概略側面図である。（旧巻取り軸が満巻になった状態を示す）
【図２】本発明の一例のウェブ巻取り装置の概略側面図である。（図１の状態からタレットが１８０°旋回した状態を示す）
【図３】本発明の一例のウェブ巻取り装置の概略側面図である。（図２の状態からカッター刃が作動し、ウェブを切断した状態を示す）
【図４】本発明の一例のウェブ巻取り装置の概略側面図である。（図３の状態からウェブが新巻取り軸に巻きつき、新巻取り軸側のタッチロールが待機位置から作動位置移動し新巻取り軸に当接した状態を示す）
【符号の説明】
【００１８】
１    旧巻取り軸
２    新巻取り軸
３    巻取りロール
４    タレット軸
５    ガイドロール
６ａ    プリドライブロール（旧巻取り軸側）
６ｂ    プリドライブロール（新巻取り軸側）
７ａ    タッチロール（旧巻取り軸側）
７ｂ    タッチロール（新巻取り軸側）
８    カッター刃
９    ウェブ
１０    タレット
【図１】
2007210735.tif 000003
【図２】
2007210735.tif 000004
【図３】
2007210735.tif 000005
【図４】
2007210735.tif 000006